(57)【要約】【課題】鉄筋コンクリート有孔梁の補強金具において、孔形成用スリーブをその取付け位置に確実に保つことが可能な構造の補強金具を提供する。【解決手段】孔形成用のスリーブＢが挿通可能な八角形の環状体１ａと、前記スリーブＢを支承するために該環状体１ａの下半部に該環状体１ａの内方へ向かって突設されているスリーブ受け手段３ａと、該環状体１ａの上半部に該環状体１ａの内方へ向かって進退調節可能に垂設されていて前記スリーブＢの上面に当接する当接手段３ｂとからなる鉄筋コンクリート有孔梁の補強金具１を形成した。【選択図】図１
2008121334.tif 000002
【特許請求の範囲】
【請求項１】
環状体と、その下半部に内方に突設し環状内に挿入したスリーブを支承するスリーブ受け手段と、前記環状体の上半部に内方に進退調節可能に突設し前記スリーブの外周面を先端部が当接する当接手段とからなる鉄筋コンクリート有孔梁の補強金具。
【請求項２】
前記スリーブ受け手段は棒状体からなる請求項１に記載の鉄筋コンクリート有孔梁の補強金具。
【請求項３】
前記当接手段は、先端にスリーブとの当接部を有し根部を棒状とした当接具と、前記環状体の上半部に固定した保持金具とを有して、該保持金具が前記当接具の根部を係脱可能に係着するように形成した請求項１に記載の鉄筋コンクリート有孔梁の補強金具。
【請求項４】
前記環状体は鉄筋コンクリート用棒鋼を折り曲げて八角形に形成されており、その左右の垂直な辺部に、あばら筋への挟着手段を突設して有する請求項１乃至請求項３のいずれか１に記載の鉄筋コンクリート有孔梁の補強金具。
【請求項５】
前記棒状体及び前記当接具のスリーブとの各当接部に合成樹脂製の保護キャップを被せて、スリーブの当接面を保護するように形成した請求項２及び請求項３に記載の鉄筋コンクリート有孔梁の補強金具。
【請求項６】
前記環状体の後方に他の環状体を配置して、連結手段を用いて両環状体を平行に連結して多段構造に形成した請求項１乃至請求項５のいずれか１に記載の鉄筋コンクリート有孔梁の補強金具。
【発明の詳細な説明】
【技術分野】
【０００１】
本発明は鉄筋コンクリート有孔梁の配筋において、当該孔部の補強に用いられる補強金具に関する。
【背景技術】
【０００２】
梁の中に抜き孔を有する鉄筋コンクリート有孔梁の建設において、開口部周縁の補強を行なうために、一般に補強筋が用いられている。
【０００３】
この補強筋として、図８に示す如く、共通一本の棒体により複数の環状体からなる補強金具の枠体ａを形成し、該枠体ａの下方部に２本の連結杆ｂ、ｂを該枠体ａの内方へ向かって突設して、該連結杆ｂ、ｂを孔形成用のスリーブＢの支持手段に形成した鉄筋コンクリート有孔梁の補強金具が知られている（例えば特許文献１参照。）。
【特許文献１】特許第３５５６５０６号公報（第１図）
【発明の開示】
【発明が解決しようとする課題】
【０００４】
従来の鉄筋コンクリート有孔梁の補強金具は前記図８に示されているように、該補強金具を挿通するスリーブＢを該補強金具の下方部に設けた２本の連結杆ｂ、ｂによって２点で支持しており、これはコンクリート打設時にスリーブの位置がずれることがあるという問題があった。
【０００５】
本発明は前記の問題点を解消し、コンクリート打設時に孔形成用のスリーブが動くことがない鉄筋コンクリート有孔梁の補強金具を提供することを目的とする。
【課題を解決するための手段】
【０００６】
本発明の鉄筋コンクリート有孔梁の補強金具は上記の目的を達成すべく、環状体と、その下半部に内方に突設し環状内に挿入したスリーブを支承するスリーブ受け手段と、前記環状体の上半部に内方に進退調節可能に突設し前記スリーブの外周面を先端部が当接する当接手段とからなる。
【発明の効果】
【０００７】
本発明の鉄筋コンクリート有孔梁の補強金具によれば、下方部のスリーブ受具と上方部の当接手段とによってスリーブを固定するので、コンクリート打設中もスリーブを安定して保持することができ、又、前記上部の当接手段を進退調節可能に形成したので、外径寸法の異なるスリーブに対しても同一補強金具を使用することができ、更に又、補強金具にあばら筋への挟着手段を設けたので、本発明の補強金具のあばら筋への取付けが容易となる効果を有している。
【発明を実施するための最良の形態】
【０００８】
本発明を実施するための最良の形態の実施例を以下に示す。
【実施例１】
【０００９】
実施例１の鉄筋コンクリート有孔梁の補強金具を図１乃至図５により説明する。
【００１０】
図１は本実施例の補強金具１の正面図、図２は同上補強金具１の側面図である。
【００１１】
補強金具１は鉄筋コンクリート用棒鋼を折り曲げて八角形に形成した環状体１ａと、該環状体１ａの下半部に該環状体１ａの内方へ向かって突設されているスリーブ受具１ｃ、１ｄからなるスリーブ受け手段３ａと、前記環状体１ａの内方へ向かって進退調節可能に前記環状体１ａの上辺部に突設されている当接具１ｂと該当接具１ｂを前記環状体１ａの上辺部に係脱可能に保持している保持金具１ｈとからなる当接手段３ｂと、当該補強金具１を後述するあばら筋の縦筋ｄ１、ｄ１に挟着するための挟着金物１ｅ、１ｆからなる挟着手段３ｃとを有している。
【００１２】
前記スリーブ受具１ｃ、１ｄ及び前記当接具１ｂはいずれも鉄筋コンクリート用棒鋼からなり、棒状に形成されている。
【００１３】
これらの内、スリーブ受具１ｃ、１ｄはその先端部を前記環状体１ａの内方に向け、その根部を前記環状体１ａの下半部の左右の傾斜した辺部に溶接して固定されている。
【００１４】
前記保持金具１ｈは鋼の線材からなり、図３に示す如く上部に前記当接具１ｂの根部を挟持するための略水平のＵ字状の先端部１ｉを後方に突出させると共に該先端部１ｉに連続する左右の略垂直のＵ字状の中間部１ｊを前方に突出させ、更にこれら中間部１ｊに連続する左右の脚状の根部１ｋを前記環状体１ａの上辺部に溶接して固定している。
【００１５】
尚、１ｇは前記保持金具１ｈの左右のＵ字状中間部１ｊを挿通するボルトとナットからなる締付具である。
【００１６】
前記挟着金物１ｅ及び１ｆは鉄筋コンクリート用棒鋼を折り曲げて凸字状に形成されており、前記環状体１ａの左右の垂直な辺部に該挟着金物１ｅ、１ｆの凸部が該環状体１ａの前面に突出するように溶接して固定されている。
【００１７】
次に本実施例の補強金具１の使用方法及びその効果について説明する。
【００１８】
図４は補強金具１の使用状態を示す斜視図である。
【００１９】
補強金具１は両側部に有する挟着金物１ｅ、１ｆによってあばら筋の縦筋ｄ１、ｄ１を挟むことにより、該あばら筋に係着されている。
【００２０】
Ｂは孔形成用のスリーブであり、補強金具１に設けたスリーブ受具１ｃ、１ｄに支承されると共に、補強金具１の上辺部から垂設した当接具１ｂが該スリーブＢの上面部に当接する位置で前記締付具１ｇのボルトを締付けて保持金具１ｈのＵ字状の先端部１ｉの圧接により当接具１ｂを固定して、当該補強筋の組立て中やコンクリート打設中にも該スリーブＢが位置ずれしないように三点で位置決めされている。
【００２１】
かくて本発明の補強金具１を用いれば、鉄筋コンクリート有孔梁の建設において、コンクリート打設中にもスリーブの位置ずれを防止することができ、当該補強金具１のあばら筋への取付けが容易であると共に前記当接具１ｂの位置を調節することによって、外径寸法の異なるスリーブに対しても同一補強金具を使用することができる効果を有している。
【００２２】
尚、本実施例では挟着金物１ｅ及び１ｆを環状体１ａの左右の垂直な辺部に溶接するとしたが、これは図５に示す如く、挟着金物１ｅ及び１ｆを前記環状体１ａの左右の垂直な辺部の内側に配置して、その上下の両端部を該環状体１ａに溶着するようにしてもよい。
【実施例２】
【００２３】
次に実施例２の鉄筋コンクリート有孔梁の補強金具１１を図６により説明する。
【００２４】
図６は前記実施例１の補強金具１に他の補強金具２を組合わせて形成した補強金具１１の使用状態を示す斜視図である。
【００２５】
即ち補強金具１１は、手前にある補強金具（第１補強金具）１と後方の第２補強金具２との組合わせからなり、両補強金具１、２は棒状の連結杆２ｂ、２ｃ及び２ｄからなる連結手段によって係脱可能に連結されている。
【００２６】
尚、第２補強金具２は前記第１補強金具１における環状体１ａと同様の環状体２ａを有しており、前記連結杆２ｂ、２ｃ及び２ｄはいずれもその棒状の根部を該環状体２ａに溶着し、その先端部にそれぞれ第１補強金具１への係合手段を有している。
【００２７】
このように補強金具を多段に組合わせることによって補強金具１１は前記補強金具１よりも高い剛性を有している。
【００２８】
尚、本実施例ではスリーブ受具１ｃ、１ｄ及び当接具１ｂを棒状としたが、これらスリーブ受具１ｃ、１ｄ及び当接具１ｂのスリーブＢと当接する先端部に塩化ビニール製の保護キャップ１ｍを被せており、コンクリートの打設硬化後にスリーブＢを除去して形成される孔のコンクリート内周面からスリーブ受具１ｃ、１ｄ及び当接具１ｂの先端部が露出して水分により錆付くおそれがあるが、前記保護キャップ１ｍにより前記先端部が錆付くのを防止する。
【実施例３】
【００２９】
実施例３の鉄筋コンクリート有孔梁の補強金具２１を図７により説明する。
【００３０】
図７は前記実施例２の補強金具１１に更に第３補強金具３を組合わせて形成した補強金具２１の使用状態を示す斜視図である。
【００３１】
即ち、補強金具２１はスリーブ受具１ｃ、１ｄを有する第１補強金具１と、該第１補強金具１の後方に位置する第２補強金具２と、第１補強金具１の外方に該第１補強金具１と同心に配置された第３補強金具４とからなる。
【００３２】
第３補強金具４は前記第１補強金具１の環状体１ａよりも大径の八角形の環状体４ａと、該環状体４ａを前記環状体１ａに係脱可能に支持するための３本の支持体４ｃ、４ｄ及び４ｅからなる支持手段４ｂとを有している。
【００３３】
これら支持体４ｃ、４ｄ及び４ｅは棒状で、いずれもその先端部に前記環状体１ａと係合可能なフック部を有している。
【００３４】
又、前記支持体４ｃはその根部をナット４ｃ１と螺合していて、前記環状体４ａの上辺部に該環状体４ａの内方へ向かって進退移動可能に吊着されている。
【００３５】
一方、前記支持体４ｄ及び４ｅはその根部を前記環状体４ａの下半部の傾斜した辺部に、先端部を該環状体４ａの内方へ向けて溶接固定されている。
【００３６】
尚、スリーブＢの上面部を押えるための当接手段３ｂが前記第１補強金具１の上辺部に設けられているが、該当接手段３ｂは当接具１ｂと締付具１ｇと保持金具１ｈとからなる簡単な構造なので、該当接手段３ｂの前記第１補強金具１の外方へ突出する部分を小さくすることができ、このため第１補強金具１の外方にある第３補強金具４と該当接手段３ｂとが干渉することはない。
【００３７】
本実施例の補強金具２１は、前記第２実施例の補強金具１１よりも更に強度が必要な鉄筋コンクリート有孔梁の補強金具に使用される。
【産業上の利用可能性】
【００３８】
本発明の補強金具は、特にスリーブ位置ずれを防止する必要がある鉄筋コンクリート有孔梁の配筋に利用される。
【図面の簡単な説明】
【００３９】
【図１】実施例１の補強金具の正面図である。
【図２】同上補強金具の側面図である。
【図３】同上補強金具における一部構造の説明図である。
【図４】同上補強金具の使用状態を示す斜視図である。
【図５】実施例１の補強金具の他の例の正面図である。
【図６】実施例２の補強金具の使用状態を示す斜視図である。
【図７】実施例３の補強金具の使用状態を示す斜視図である。
【図８】従来の補強金具の１例の正面図である。
【符号の説明】
【００４０】
１、１１、２１            補強金具
１ａ、２ａ、４ａ          環状体
１ｂ                      当接具
１ｃ、１ｄ                スリーブ受具
１ｅ、１ｆ                挟着金物
１ｈ                      保持金具
２ｂ、２ｃ、２ｄ          連結手段（連結杆）
３ａ                      スリーブ受け手段
３ｂ                      当接手段
３ｃ                      挟着手段
Ｂ                        スリーブ
【図１】
2008121334.tif 000003
【図２】
2008121334.tif 000004
【図３】
2008121334.tif 000005
【図４】
2008121334.tif 000006
【図５】
2008121334.tif 000007
【図６】
2008121334.tif 000008
【図７】
2008121334.tif 000009
【図８】
2008121334.tif 000010
【手続補正書】
【提出日】平成18年12月20日(2006.12.20)
【手続補正１】
【補正対象書類名】図面
【補正対象項目名】全図
【補正方法】変更
【補正の内容】
【図１】
2008121334.tif 000011
【図２】
2008121334.tif 000012
【図３】
2008121334.tif 000013
【図４】
2008121334.tif 000014
【図５】
2008121334.tif 000015
【図６】
2008121334.tif 000016
【図７】
2008121334.tif 000017
【図８】
2008121334.tif 000018